(57)【要約】【課題】正面を斜め右方若しくは左方へ向けた姿勢で複数の電気機器収納用ラックを並設する際に、電気機器収納用ラック同士が自身の前後方向でずれたりすることなく、容易に一直線状に並べることができる電気機器収納用ラックの連結構造を提供する。【解決手段】矩形板状の本体２ａと、該本体２ａの後辺に沿って形成された折り曲げ部２ｂとからなる連結板２を用い、連結板２の本体２ａを、折り曲げ部２ｂが左右外方へ突出する姿勢で、ラック本体１の一方の側面開口の少なくとも一部を覆うように固定するとともに、折り曲げ部２ｂの後面に、隣に設置するラック本体１の前面を当接させて固定することにより、隣り合うラック本体１、１同士を連結可能とした。【選択図】図２
2012084663.tif 000002
【特許請求の範囲】
【請求項１】
複数のフレーム部材を略直方体形状に組み付けてなるラック本体の各面の開口をパネル部材によって閉塞した電気機器収納用ラックを、その正面を斜め右方又は左方へ向けた姿勢で左右方向へ複数並設するに際して、前記電気機器収納用ラック同士を連結するための連結構造であって、
矩形板状の本体と、該本体の後辺に沿って形成された折り曲げ部とからなる連結板を用い、前記連結板の前記本体を、前記折り曲げ部が左右外方へ突出する姿勢で、前記電気機器収納用ラックの一方の側面開口の少なくとも一部を覆うように前記ラック本体に固定するとともに、前記折り曲げ部の後面に、隣に設置する前記ラック本体の前面を当接させて固定することにより、隣り合う前記電気機器収納用ラック同士を連結可能としたことを特徴とする電気機器収納用ラックの連結構造。
【請求項２】
前記連結板の前辺に沿って前記折り曲げ部とは逆方向へ折り曲げられた第２折り曲げ部を形成するとともに、当該第２折り曲げ部の後面を前記ラック本体の前面に当接させて固定することにより、前記連結板の前記本体を前記ラック本体に固定したことを特徴とする請求項１に記載の電気機器収納用ラックの連結構造。
【請求項３】
前記連結板にパンチング面を設けたことを特徴とする請求項１又は２に記載の電気機器収納用ラックの連結構造。
【発明の詳細な説明】
【技術分野】
【０００１】
本発明は、電気機器収納用ラック同士を所定の姿勢で連結するための連結構造に関するものである。
【背景技術】
【０００２】
従来、一般的な電気機器収納用ラックとしては、たとえば特許文献１に記載されているようなものがある。この電気機器収納用ラックは、フレーム部材を略直方体枠状に組み付けるラック本体に対して、何れかの面を正面とし、該正面にはその開口を開閉する扉部材を蝶着する一方、その他の５面（左右両側面、背面、上面、及び下面）のうち、閉塞したい面にはパネル部材をネジ止めしてなる。
【先行技術文献】
【特許文献】
【０００３】
【特許文献１】特開２００２−０５０８８８号公報
【発明の概要】
【発明が解決しようとする課題】
【０００４】
以上のような構成を有する電気機器収納用ラックを複数並設するに際しては、扉部材を正面側に向けた姿勢で複数のラック本体を左右方向へ並設する場合もあるが、スペースの都合上、扉部材を有する正面を斜め右方若しくは左方へ向けた姿勢で複数のラック本体を左右方向へ並設する場合もある（図４等に示す）。しかしながら、従来の電気機器収納用ラックには、そのような姿勢でラック本体同士を連結するような構造を備えていないため、どうしても隣り合うラック本体同士の位置がラック本体の前後方向でずれやすく、一直線状に並べにくいという問題がある。
【０００５】
そこで、本発明は、上記問題に鑑みなされたものであって、正面を斜め右方若しくは左方へ向けた姿勢で複数の電気機器収納用ラックを並設する際に、電気機器収納用ラック同士が自身の前後方向でずれたりすることなく、容易に一直線状に並べることができる電気機器収納用ラックの連結構造を提供しようとするものである。
【課題を解決するための手段】
【０００６】
上記目的を達成するために、本発明のうち請求項１に記載の発明は、複数のフレーム部材を略直方体形状に組み付けてなるラック本体の各面の開口をパネル部材によって閉塞した電気機器収納用ラックを、その正面を斜め右方又は左方へ向けた姿勢で左右方向へ複数並設するに際して、前記電気機器収納用ラック同士を連結するための連結構造であって、矩形板状の本体と、該本体の後辺に沿って形成された折り曲げ部とからなる連結板を用い、前記連結板の前記本体を、前記折り曲げ部が左右外方へ突出する姿勢で、前記電気機器収納用ラックの一方の側面開口の少なくとも一部を覆うように前記ラック本体に固定するとともに、前記折り曲げ部の後面に、隣に設置する前記ラック本体の前面を当接させて固定することにより、隣り合う前記電気機器収納用ラック同士を連結可能としたことを特徴とする。
請求項２に記載の発明は、請求項１に記載の発明において、前記連結板の前辺に沿って前記折り曲げ部とは逆方向へ折り曲げられた第２折り曲げ部を形成するとともに、当該第２折り曲げ部の後面を前記ラック本体の前面に当接させて固定することにより、前記連結板の前記本体を前記ラック本体に固定したことを特徴とする。
請求項３に記載の発明は、請求項１又は２に記載の発明において、前記連結板にパンチング面を設けたことを特徴とする。
【発明の効果】
【０００７】
本発明によれば、矩形板状の本体と、該本体の後辺に沿って形成された折り曲げ部とからなる連結板を用い、連結板の本体を、折り曲げ部が左右外方へ突出する姿勢で、電気機器収納用ラックの一方の側面開口の少なくとも一部を覆うようにラック本体に固定するとともに、折り曲げ部の後面に、隣に設置するラック本体の前面を当接させて固定することにより、隣り合う電気機器収納用ラック同士を連結可能としているため、複数の電気機器収納用ラックを、その正面を斜め右方又は左方へ向けた姿勢で容易に左右方向へ一直線状に並設することができる。また、連結板が、ラック本体の側面開口の少なくとも一部を閉塞するパネル部材としても機能するため、部品点数の削減、設置作業の簡略化等、構成の合理化を図ることができる。さらに、ラック本体の側面のうち重なりあう部分については、パネル部材等により覆わずに内部の空間同士を連通させると、複数の電気機器収納用ラックを並設することにより、大きな電気機器設置スペースを確保することができ、たとえば配線の引き回し等を容易に行うことができる、２つの電気機器収納用ラックに跨って大型の電気機器を設置することができる等の効果がある。
また、請求項２に記載の発明によれば、連結板のラック本体への固定箇所をたとえば扉部材等により被覆することが可能であり、外観やセキュリティの向上をも図ることができる。
さらに、請求項３に記載の発明によれば、連結板にパンチング面を設けているため、電気機器収納用ラック内の通気性を向上することができる。
【図面の簡単な説明】
【０００８】
【図１】ラック本体を単体で示した斜視説明図である。
【図２】連結板を用いて複数のラック本体同士を連結状態で並設する様子を示した説明図である。
【図３】図２中におけるＡ部を拡大して示した説明図である。
【図４】ラック本体同士を連結した状態の水平断面を示した説明図である。
【図５】ラック本体同士を連結した状態の変更例の水平断面を示した説明図である。
【図６】変更例となる連結板を用いてラック本体同士を連結状態で並設する様子を示した説明図である。
【図７】図６中におけるＢ部を拡大して示した説明図である。
【図８】別の変更例となる連結板を取り付けたラック本体の斜視説明図である。
【発明を実施するための形態】
【０００９】
以下、本発明の一実施形態となる電気機器収納用ラック（以下、ラックと称す）の連結構造について、図面にもとづき詳細に説明する。
【００１０】
図１は、ラック本体１を単体で示した斜視説明図である。図２は、連結板２を用いてラック本体１、１同士を連結状態で並設する様子を示した説明図であり、図３は、図２中におけるＡ部を拡大して示した説明図である。図４は、ラック本体１、１同士を連結した状態の水平断面を示した説明図である。
ラック本体１は、複数のフレーム部材３、３・・を略直方体形状に組み付けてなる枠状部材であって、その内部空間には柱状のマウント部材４、４等が備えられており、種々の電気機器を収納設置可能となっている。また、ラック本体１の上面、下面、及び背面の開口は、夫々パネル部材５によって閉塞されている。さらに、ラック本体１の正面には、該正面の開口を開閉するための扉部材６が片開き自在に蝶着されている。そして、ラック本体１の左右両側面については、その開口を開放させた状態のままとし、該ラック本体１を扉部材６が正面から右斜め方向へ４５度の方向へ向くまで回動させて、後述する連結板２を用いて左右方向へ複数並設する。
【００１１】
ここで、本発明の要部となるラック本体１、１同士を連結するための連結構造について説明する。
ラック本体１、１同士を連結するための連結板２は、長辺がラック本体１と略同じ長さとされている一方、短辺についてはラック本体１の前後方向の略半分の長さとされた矩形板状の本体２ａと、本体２ａの一方の長辺に沿って設けられた折り曲げ部２ｂとからなる。該連結板２は、その長辺を上下方向とした姿勢でラック本体１の側面にネジ止め可能となっており、本体２ａの折り曲げ部２ｂが設けられていない側の長辺際の上端部及び下端部には、自身をラック本体１へネジ止めするための固定孔８が夫々設けられている。また、折り曲げ部２ｂは、一方の長辺を略９０度折り曲げてなり、該折り曲げ部２ｂの上端部及び下端部にも、ネジ止めのための挿通孔７が夫々設けられている。
一方、ラック本体１の前側にあるフレーム部材３、３の前面の上端部及び下端部には、挿通孔７を介してネジ１１を螺着可能なネジ孔１２が夫々設けられており、同じフレーム部材３、３の左右外方の側面の上端部及び下端部には、固定孔８を介してネジ１１を螺着可能なネジ孔１０が夫々設けられている。
【００１２】
そして、上記連結構造によりラック本体１、１を上記姿勢で左右方向へ複数並設するにあたっては、まず、連結板２を折り曲げ部２ｂが後側において左右外方へ突出する姿勢とし、固定孔８、８を介してネジ孔１０、１０へネジ１１、１１を螺着することにより、連結板２の本体２ａをラック本体１の一方の側面の前方側にネジ止めする。すると、ラック本体１の側面開口のうち外部に露出する部分が連結板２により閉塞されることになる。
次に、該連結板２の折り曲げ部２ｂの後面に、隣に設置するラック本体１のフレーム部材３の前面を当接させ、挿通孔７、７を介してネジ孔１２、１２へネジ１１、１１を螺着すれば、隣り合うラック本体１、１同士が、隣接する左右の側面開口の一部の面Ｓ、Ｓ（図４に示す）が重なりあい、該一部の面Ｓ、Ｓを介してラック本体１内の空間同士が連通した状態で連結されることになる。
【００１３】
以上のような連結構造によれば、一方のラック本体１の側面開口を覆うように連結板２の本体２ａを、他方のラック本体１の前側のフレーム部材３に当接するように折り曲げ部２ｂを夫々固定して、連結板２を隣り合うラック本体１、１にまたがって固定することによりラック本体１、１同士を連結するため、ラック本体１、１同士を容易に同じ姿勢で一直線状に並設することができる。また、連結板２が、ラック本体１の側面開口のうち外部に露出する部分を閉塞するパネル部材としても機能するため、部品点数の削減、設置作業の簡略化等、構成の合理化を図ることができる。さらに、ラック本体１の側面開口のうち重なりあう一部の面Ｓ、Ｓについては、側板等により覆わずに内部の空間同士を連通させているため、複数のラック本体１、１・・を並設することにより、大きな電気機器設置スペースを確保することができ、たとえばラック本体１、１・・の内部に設置する電気機器同士を電気的に接続する配線の引き回し等を容易に行うことができる、２つのラック本体１、１に跨って大型の電気機器を設置することができる等の効果がある。
【００１４】
なお、本発明に係るラックの連結構造は、上記実施形態の態様に何ら限定されるものではなく、ラック本体や連結板等に係る構成を、本発明の趣旨を逸脱しない範囲で、必要に応じて適宜変更することができる。
【００１５】
たとえば、上記実施形態では、隣り合うラック本体１、１同士で重なり合う側面開口の一部の面Ｓ、Ｓを連通させる構成としているが、図５に示すように、連通箇所を連結板２により閉塞してもよい。この閉塞に利用する連結板２は、折り曲げ部２ｂが前側にくる姿勢とし、折り曲げ部２ｂをラック本体１の前側のフレーム部材３に螺着する一方、本体２ａを隣のラック本体１後側にあるフレーム部材３に螺着すればよい。該構成を採用することにより、ラック本体１の閉塞箇所を増やすことができるため、より高いセキュリティを確保することができる。
【００１６】
また、上記実施形態の連結板２に代えて、図６及び７に示すような連結板２１を採用することも可能である。図６は、連結板２１を用いてラック本体１、１同士を連結状態で並設する様子を示した説明図であり、図７は、図６中におけるＢ部を拡大して示した説明図である。尚、図６及び図７において、上記実施形態と同じ構成要素については、同じ符号を付している。
連結板２１は、長方形板状の本体２１ａと、該本体２１ａの一方の長辺に沿って形成された第１折り曲げ部２１ｂと、本体２１ａの他方の長辺に沿って形成されており、折り曲げ部２１ｂとは逆方向へ折り曲げられた第２折り曲げ部２１ｃとからなる。そして、第１折り曲げ部２１ｂの上端部及び下端部には、上記折り曲げ部２ｂ同様に挿通孔７、７が設けられている一方、第２折り曲げ部２１ｃの上端部及び下端部には、連結板２では本体２ａに設けられていた固定孔８、８が穿設されている。
【００１７】
そして、上記連結板２１を用いてラック本体１、１を複数並設するにあたっては、まず、連結板２１の第２折り曲げ部２１ｃの後面をラック本体１の前側のフレーム部材３の前面に当接させ、固定孔８、８を介してネジ孔１２、１２へネジ１１、１１を螺着することにより、連結板２１をラック本体１の一方の側面の前方側にネジ止めする。次に、該連結板２１の第１折り曲げ部２１ｂの後面に、隣に設置するラック本体１のフレーム部材３の前面を当接させ、挿通孔７、７を介してネジ孔１２、１２へネジ１１、１１を螺着すれば、上記連結板２を用いた場合と同様に、ラック本体１、１同士を連結することができる。
【００１８】
このように連結板２１を用いても、ラック本体１、１同士を容易に同じ姿勢で並設することができるし、連結板２１が、ラック本体１の側面開口のうち外部に露出する部分を閉塞する側板としても機能するため、部品点数の削減、設置作業の簡略化等、構成の合理化を図ることができる。また、第２折り曲げ部２１ｃを形成していることにより、フレーム部材３にネジ孔１０、１０を設ける必要がなく、ラック本体の構成を簡素化することができるし、連結板２１のラック本体１へのネジ止め箇所を扉部材６により被覆することも可能であり、外観やセキュリティの向上をも図ることができる。
【００１９】
さらに、図８に示すように、連結板３１の本体３１ａにパンチング面３２を設け、ラック本体１内の通気性を向上させたり、図示しないコンセントバーを連結板に取り付ける等しても何ら問題はない。尚、図８においても、上記実施形態の同じ構成要素については同じ符号を付している。
加えて、連結板の短辺方向の長さについては、ラック本体１、１・・をどのような姿勢で並設するか、すなわち斜めを向ける角度に応じて、適宜変更設計可能であることは言うまでもない。
【符号の説明】
【００２０】
１・・ラック本体、２、２１、３１・・連結板、２ａ、２１ａ、３１ａ・・本体、２ｂ、３１ｂ・・折り曲げ部、３・・フレーム部材、４・・マウント部材、５・・パネル部材、６・・扉部材、７・・挿通孔、８・・固定孔、１０、１２・・ネジ孔、１１・・ネジ、２１ｂ・・第１折り曲げ部、２１ｃ・・第２折り曲げ部、３２・・パンチング面。
【図１】
2012084663.tif 000003
【図２】
2012084663.tif 000004
【図３】
2012084663.tif 000005
【図４】
2012084663.tif 000006
【図５】
2012084663.tif 000007
【図６】
2012084663.tif 000008
【図７】
2012084663.tif 000009
【図８】
2012084663.tif 000010